(57)【要約】      （修正有）【課題】多層構造とすることにより捕集効果が高く、かつ、着用者により良好な密着性、使用感を与えることができ、１つのマスクサイズでより広範囲の利用者に同様に適用可能なマスクを提供する。【解決手段】マスクは、本体層１０と、本体層１０に積層されたフィルター層２０と、本体層１０との間でフィルター層２０を挟むカバー層３０と、を備えたマスクであって、本体層１０は、左右対称な１枚の連続したシート状の部材からなり、中央の対称中心線Ｏ上に中央上方周縁部３１ａと、中央下方周縁部３１ｂと、それらの間に設けられた本体層連続部及びカバー層連続部３２を有し、中央上方周縁部３１ａと、中央下方周縁部３１ｂと、本体層連続部及びカバー層連続部３２とは、当該マスクを対称中心線Ｏで二つ折りしたとき、それらが外側に向けて本体層連続部及びカバー層連続部３２を先にした凸形状をなすように構成されている。【選択図】図１
0003230095.tif 000002
【実用新案登録請求の範囲】
【請求項１】
本体層と、
前記本体層に積層されたフィルター層と、
前記本体層との間で前記フィルター層を挟むカバー層と、
を備えたマスクであって、
前記本体層は、左右対称な１枚の連続したシート状の部材からなり、
中央の対称中心線上に上部接合部と、下部接合部と、それらの間に設けられた連続部とを有し、
前記上部接合部及び前記下部接合部と前記連続部とは、当該マスクを前記対称中心線で二つ折りしたとき、それらが外側に向けて前記連続部を先にした凸形状をなすように構成されているマスク。
【請求項２】
請求項１に記載のマスクにおいて、
前記フィルター層は、前記連続部と重なる位置において連続して左右に設けられていること、
を特徴とするマスク。
【請求項３】
請求項１に記載のマスクにおいて、
前記フィルター層は、前記連続部と重なる位置において分離して左右に設けられていること、
を特徴とするマスク。
【請求項４】
請求項１から請求項３までのいずれかに記載のマスクにおいて、
前記本体層は、ポリウレタンフォームシートから形成されていること、
を特徴とするマスク。
【請求項５】
請求項１から請求項４までのいずれかに記載のマスクにおいて、
前記本体層は、前記対称中心線で二つ折りしたとき、前記上部接合部が外側に凸の湾曲形状をなし、前記下部接合部が直線状をなすように形成されていること、
を特徴とするマスク。
【請求項６】
請求項１から請求項５までのいずれかに記載のマスクにおいて、
前記本体層の左右の両端部にそれぞれ設けられた耳掛け部を更に有すること、
を特徴とするマスク。
【考案の詳細な説明】
【技術分野】
【０００１】
本考案は、フィルター層を備えたマスクに関するものである。
【背景技術】
【０００２】
従来より、人の顔にフィットする立体形状に形成された様々な形態のマスクが提案されている（例えば、特許文献１，２）。特許文献１に記載のマスクは、口部と、口部の上方に鼻の外側の形状とぴったり合うように形成された先細部と、口部の後方に形成された耳掛け部とからなる左右対称の左右シートから構成されている。前記左右シートは、それらの一端で超音波結合され、左右に拡げると膨らんで、スペースを介して鼻と口の部位をカバーするように立体形成されている。
【０００３】
特許文献２に記載のマスクは、一端側に耳掛け部として開口部を、及び他端に外方へ膨らんだ湾曲形状部を形成した２枚のシート状のマスク半体からなり、両マスク半体を湾曲形状部で接合して形成されており、該マスク半体を広げると、湾曲形状部がマスク外方へ膨出して口及び鼻孔を含む顔面の一部を覆うように構成されている。前記マスク半体は、使用中にずれにくく、通気性が良好で使用感に優れたマスクを提供するように、弾性を有するポリウレタンフォームを除膜した材質で形成されている。
【０００４】
また、特許文献３には、フィルター層で不織布等の機能シートを挟む構成の３層構造としたマスクが開示されている。
【先行技術文献】
【特許文献】
【０００５】
【特許文献１】実用新案登録第３０５４１２９号公報
【特許文献２】特開２０１１−９２５５９号公報
【特許文献３】特開２０１９−２０６７７３号公報
【考案の概要】
【考案が解決しようとする課題】
【０００６】
上述した従来のマスクは、開いたときに人の鼻及び口に当たる部分が外方へ膨らんだ形状となるように、左右対称の２つのシート状部材を互いに、外側へ湾曲した縁部に沿って接合している。そのため、完成したマスクの中央には、その上端から下端まで全長に亘って連続したリブ形状の接合部が形成される。
【０００７】
このような接合部は、リブ形状自体の剛性によって、マスク着用者の口元及び鼻孔の周囲に隙間が確保されるので、呼吸し易く、口を動かし易い利点がある。しかし、一般に着用者の顔の大きさや造作は千差万別であり、性別や年齢によっても異なる。そのため、マスクのサイズが１つであったり少ない場合、前記リブ形状の剛性により、着用者によって鼻柱や顎部に当たる位置が異なるため、却ってマスクの密着性を低下させたりずれ易くし、その結果着用者の使用感を損ねたり、不快感を生じさせる虞がある。他方、マスクのサイズを細かく分けるのは、実際上困難であり、その上価格が高騰するので、好ましくない。
【０００８】
また、特許文献３の３層構造のマスクにおいても、上端から下端まで全長に亘って連続したリブ形状の接合部が形成されることに変わりはなく、上記と同様な課題があった。
【０００９】
本考案の課題は、多層構造とすることにより捕集効果が高く、かつ、着用者により良好な密着性、使用感を与えることができ、１つのマスクサイズでより広範囲の利用者に同様に適用可能なマスクを提供することである。
【課題を解決するための手段】
【００１０】
本考案は、以下のような解決手段により、前記課題を解決する。なお、理解を容易にするために、本考案の実施形態に対応する符号を付して説明するが、これに限定されるものではない。
【００１１】
第１の考案は、本体層（１０）と、前記本体層（１０）に積層されたフィルター層（２０）と、前記本体層（１０）との間で前記フィルター層（２０、４０）を挟むカバー層（３０）と、を備えたマスク（１、１Ｂ）であって、前記本体層（１０）は、左右対称な１枚の連続したシート状の部材からなり、中央の対称中心線（Ｏ）上に上部接合部（３１ａ）と、下部接合部（３１ｂ）と、それらの間に設けられた連続部（１７、３２）とを有し、前記上部接合部（３１ａ）及び前記下部接合部（３１ｂ）と前記連続部（１７、３２）とは、当該マスク（１、１Ｂ）を前記対称中心線（Ｏ）で二つ折りしたとき、それらが外側に向けて前記連続部（１７、３２）を先にした凸形状をなすように構成されているマスク（１、１Ｂ）である。
【００１２】
第２の考案は、請求項１に記載のマスク（１Ｂ）において、前記フィルター層（４０）は、前記連続部（１７、３２）と重なる位置において連続して左右に設けられていること、を特徴とするマスク（１Ｂ）である。
【００１３】
第３の考案は、請求項１に記載のマスク（１）において、前記フィルター層（２０）は、前記連続部（１７、３２）と重なる位置において分離して左右に設けられていること、を特徴とするマスク（１、１Ｂ）である。
【００１４】
第４の考案は、請求項１から請求項３までのいずれかに記載のマスク（１、１Ｂ）において、前記本体層（１０）は、ポリウレタンフォームシートから形成されていること、を特徴とするマスク（１、１Ｂ）である。
【００１５】
第５の考案は、請求項１から請求項４までのいずれかに記載のマスク（１、１Ｂ）において、前記本体層（１０）は、前記対称中心線（Ｏ）で二つ折りしたとき、前記上部接合部（３１ａ）が外側に凸の湾曲形状をなし、前記下部接合部（３１ｂ）が直線状をなすように形成されていること、を特徴とするマスク（１、１Ｂ）である。
【００１６】
第６の考案は、請求項１から請求項５までのいずれかに記載のマスク（１、１Ｂ）において、前記本体層（１０）の左右の両端部にそれぞれ設けられた耳掛け部（１５、１６）を更に有すること、を特徴とするマスク（１、１Ｂ）である。
【考案の効果】
【００１７】
本考案によれば、多層構造とすることにより捕集効果が高く、かつ、着用者により良好な密着性、使用感を与えることができ、１つのマスクサイズでより広範囲の利用者に同様に適用可能なマスクを提供することができる。
【図面の簡単な説明】
【００１８】
【図１】第１実施形態のマスクを構成する各部材の展開図である。
【図２】マスクを対称中心線で二つ折りにした状態の平面図である。
【図３】使用時に第１実施形態のマスクを左右に開いた状態の斜視図である。
【図４】図３中の矢印Ａ−Ａの位置でマスクを切断した断面図である。
【図５】第２実施形態のマスクを構成する各部材の展開図である。
【図６】使用時に第２実施形態のマスクを左右に開いた状態の斜視図である。
【考案を実施するための形態】
【００１９】
以下、本考案を実施するための最良の形態について図面等を参照して説明する。
【００２０】
（第１実施形態）
図１は、第１実施形態のマスクを構成する各部材の展開図である。
図２は、マスクを対称中心線で二つ折りにした状態の平面図である。
図３は、使用時に第１実施形態のマスクを左右に開いた状態の斜視図である。
図４は、図３中の矢印Ａ−Ａの位置でマスクを切断した断面図である。
なお、図１を含め、以下に示す各図は、模式的に示した図であり、各部の大きさ、形状は、理解を容易にするために、適宜誇張したり、省略したりして示している。
また、以下の説明では、具体的な数値、形状、材料等を示して説明を行うが、これらは、適宜変更することができる。
【００２１】
本実施形態のマスク１は、本体層１０と、フィルター層２０と、カバー層３０とを備えている。
本体層１０は、中央の対称中心線Ｏに関して左右対称なマスク左半部１１とマスク右半部１２とを有し、連続する１枚のシート材料で形成されている。
【００２２】
マスク左半部１１とマスク右半部１２とは、対称中心線Ｏ上、中間部に設けられた本体層連続部（連続部）１７で左右に連続し、その上部及び下部でそれぞれ上部切込み部１３と下部切込み部１４とにより左右に切り離されている。上部切込み部１３は、本体層１０の上端まで上向き外側に円弧状に広がる略Ｖ字形状に形成されている。下部切込み部１４は、対称中心線Ｏ上で本体層１０の下端まで直線状に延長する切込み線で形成されている。
【００２３】
マスク左半部１１及びマスク右半部１２の上部は、それぞれ上部切込み部１３の左右の切込み線１３ａ，１３ｂを一辺として上向きに先細りの略楔形状をなしている。マスク左半部１１及びマスク右半部１２の上縁部は、上記略楔形状の上端から左右方向の中間位置付近まで、それぞれ左右両側に下向きに比較的急な角度で概ね直線状に傾斜し、その後左右両端に向けて緩やかな下向きの傾斜角度で略直線状に延長している。マスク左半部１１及びマスク右半部１２の下縁部は、下部切込み部１４の下端からそれぞれ左右両端に向けて緩やかな上向きの傾斜角度で直線状に延長している。
【００２４】
マスク左半部１１及びマスク右半部１２の左右各端部には、それぞれ耳掛け部１５，１６が本体層１０により連続して設けられている。耳掛け部１５，１６の外郭は、略半円状に湾曲させて形成され、その上縁及び下縁がそれぞれ、上述した前記マスク左半部及びマスク右半部の上縁部及び下縁部に滑らかに連続している。耳掛け部１５，１６の概ね中央には、耳通し孔１５ａ，１６ａがそれぞれ開設されている。本実施形態の耳通し孔１５ａ，１６ａは、左右両端側から中央側に向けて先細りの卵形に形成されているが、その形状は卵形に限定するものではなく、真円形、楕円形、長円形、半円形、多角形、又はそれらの組み合せ等、様々な形状が可能である。
【００２５】
本体層１０は、マスクとして十分な柔軟性及び弾性を有するポリウレタンフォームシートで形成されている。このようなポリウレタンフォームシートは、例えば、上記特許文献２に記載されるように、従来からマスク材料として広く知られかつ使用されている。マスク材料としてのポリウレタンフォームシートは、適当な通気性が得られるように除膜したものが好ましく、そのセル数、伸び率等の特性やシート厚さ等は、マスクとしての密着性や肌触り、その取扱い上及び使用上、好ましい柔軟性や弾性、伸縮性が得られるように適当に設定される。
【００２６】
フィルター層２０は、後述するカバー層３０の外形形状を一回り小さくした形状で２枚が設けられている。本実施形態のフィルター層２０は、中央部で繋がっていない。フィルター層２０は、本体層１０とカバー層３０との間に挟まれて配置されている。
フィルター層２０は、花粉、ウィルス、塵埃等の捕集作用を備える材料であればどのような素材を用いてもよいが、例えば、メルトブローン製法により製造されたポリプロピレン樹脂製の不織布（メルトブロー不織布）を例示することができる。
【００２７】
カバー層３０は、本体層１０の耳通し孔１５ａ，１６ａ近傍から所定量中央側に寄った位置から中央側の本体層１０と同様な外形形状をして構成されている。
カバー層３０の左右端、すなわち、本体層１０の耳通し孔１５ａ，１６ａ近傍に配置される端部は、上下方向に直線状に構成されている。
カバー層３０は、本体層１０と同じ材料、すなわち、ポリウレタンフォームシートで形成されている。
【００２８】
本考案のマスクは、本体層１０とカバー層３０とでフィルター層２０を挟んだ状態で重ね、これを対称中心線Ｏで二つ折りにした状態で本体層１０とカバー層３０とを接合することによって、製造することができる。より具体的には、カバー層３０の周縁部３１において、本体層１０とカバー層３０とが接合される。また、切込み線１３ａ，１３ｂに沿った位置、及び、下部切込み部１４に沿った位置については、マスク左半部１１とマスク右半部１２とについても接合される。
ここで、フィルター層２０は、本体層１０及びカバー層３０と接合されずに、本体層１０とカバー層３０との間に保持された状態となる。
【００２９】
図２に示すように、中央上方周縁部（上部接合部）３１ａは、外側へ凸の円弧状に湾曲した形状となる。また、中央下方周縁部３１ｂ（下部接合部）は、直線状の形状となる。
【００３０】
中央上方周縁部３１ａと中央下方周縁部３１ｂとの間は、対称中心線Ｏ上でマスク左半部１１とマスク右半部１２とが１枚のシートとして左右に連続したカバー層連続部（連続部）３２となっている。
【００３１】
本体層１０とカバー層３０との接合は、従来公知の様々な方法によって行うことができる。例えば、本体層１０がポリエステル系のポリウレタンフォームで形成されている場合、熱溶着、振動溶着、超音波溶着、レーザー溶着等の溶着によって接合することができる。溶着以外の接合方法として、反応系又は溶液系等の各種接着剤やホットメルト接着剤による接着や縫着等が可能である。
【００３２】
本実施形態において、中央下方周縁部３１ｂは、図２に示すように、下端側が耳掛け部１５（１６）側に幾分後退している。中央上方周縁部３１ａは、元より上端側が耳掛け部１５（１６）側に湾曲している。したがって、図２の二つ折り状態において、マスク１の接合された側（図中右側）の辺縁部分は、外側に向けてカバー層連続部３２を先にした凸形状を有する。
【００３３】
本考案のマスク１は、図２のように中央の接合部側を外向き凸形状に形成することによって、使用時にマスク左半部１１及びマスク右半部１２を左右に開いたときに、中央の連続部（カバー層連続部３２及び本体層連続部１７）を先にして外側に膨らんだ立体形状に形成することができる。図３は、このように左右に開いた立体形状のマスク１を示している。
【００３４】
図３に示すように、本考案のマスク１は、使用時に外側に膨らんだ立体形状を形成するので、使用者がその鼻部を中央上方周縁部３１ａの内側に、顎部を中央下方周縁部３１ｂの内側に当接させて着用したとき、鼻孔及び口元の周囲に隙間を確保することができる。そのため、使用者は、良好な密着性、使用感を得ることができる。
【００３５】
しかも、鼻部と顎部の相対的な位置が異なる別の使用者が同じサイズのマスク１を着用した場合でも、カバー層連続部３２が、本実施形態ではポリウレタンフォームであるシート材料の柔軟性及び弾性によって変形して、鼻部と顎部の相対的な位置の差異を吸収するので、使用者の鼻部及び顎部を中央上方周縁部３１ａ及び中央下方周縁部３１ｂの内側に概ね同じ位置で当接させることができる。その結果、本考案のマスク１は、１つのマスクサイズについて、より広範囲の使用者に対して適用可能で、同様の良好な密着性、使用感を与えることができる。
【００３６】
また、本実施形態のマスク１は、フィルター層２０を備えているので、本体層１０及びカバー層３０については、装用感の良好なポリウレタンフォームを用いながら、捕集効果を高めることができる。
【００３７】
（第２実施形態）
図５は、第２実施形態のマスクを構成する各部材の展開図である。
図６は、使用時に第２実施形態のマスクを左右に開いた状態の斜視図である。
第２実施形態のマスク１Ｂは、第１実施形態のフィルター層２０に代えて形状の異なるフィルター層４０を用いた他は、第１実施形態のマスク１と同様である。よって、前述した第１実施形態と同様の機能を果たす部分には、同一の符号を付して、重複する説明を適宜省略する。
【００３８】
第２実施形態のフィルター層４０は、カバー層３０のカバー層連続部３２に相当する部位に、フィルター連続部４１が設けられている点が、第１実施形態のフィルター層２０と異なっているが、その他の点については、第１実施形態のフィルター層２０と同様である。
第２実施形態のマスク１Ｂは、フィルター層４０を１枚用意するだけでよいので、生産を効率よく行うことができる。
【００３９】
（変形形態）
以上説明した実施形態に限定されることなく、種々の変形や変更が可能であって、それらも本考案の範囲内である。
【００４０】
（１）各実施形態において、耳掛け部１５，１６を本体層１０の一部によって形成した例を挙げて説明した。これに限らず、例えば、耳掛け部を本体層１０とは別部材により構成してもよい。この場合、耳通し孔を有する別個のシート部材やゴム紐等の適当なリング状の紐部材を本体層１０の左右両端に結合することによって、耳掛け部を一体に設けることができる。
【００４１】
（２）中央上方周縁部３１ａを直線状にかつ中央下方周縁部３１ｂを外側に凸の円弧形状に形成してもよい。また、中央上方周縁部３１ａ及び中央下方周縁部３１ｂの両方を直線状に、又は、外側に凸の円弧形状に形成してもよい。
【００４２】
（３）各実施形態において、本体層１０及びカバー層３０をポリウレタンフォームで形成した例を挙げて説明した。これに限らず、例えば、本体層１０及びカバー層３０には、ポリウレタン弾性繊維やポリエステル弾性繊維等の各種弾性繊維からなる不織布等、公知の様々なマスク材料を用いることができる。
【００４３】
なお、各実施形態及び変形形態は、適宜組み合わせて用いることもできるが、詳細な説明は省略する。また、本考案は以上説明した各実施形態によって限定されることはない。
【符号の説明】
【００４４】
１      マスク
１Ｂ    マスク
１０    本体層
１１    マスク左半部
１２    マスク右半部
１３    上部切込み部
１３ａ  切込み線
１３ｂ  切込み線
１４    下部切込み部
１５    耳掛け部
１５ａ  耳通し孔
１６    耳掛け部
１６ａ  耳通し孔
１７    本体層連続部
２０    フィルター層
３０    カバー層
３１    周縁部
３１ａ  中央上方周縁部
３１ｂ  中央下方周縁部
３２    カバー層連続部
４０    フィルター層
４１    フィルター連続部
【図１】
0003230095.tif 000003
【図２】
0003230095.tif 000004
【図３】
0003230095.tif 000005
【図４】
0003230095.tif 000006
【図５】
0003230095.tif 000007
【図６】
0003230095.tif 000008